(57)【要約】【課題】経済的な方法で複数の波長を安定化することができる波長制御回路および波長多重光送信装置を提供する。【解決手段】本願発明の一実施形態によれば、波長多重光送信装置１００は、送出波長の異なるＮ個の光送信器１０２−１〜Ｎと、光送信器からの光信号を合波する波長合波器１０４と、合波した光信号を分岐する光カプラ１０６と、光カプラからの光信号を受光する受光器１０８と、受光器からの信号に基づいて各光送信器の波長を制御する波長制御手段１１０とを備えている。波長合波器１０４は、周期的なスペクトル特性を有する。波長制御手段１１０は、Ｎ個の光送信器の１つを制御して、受光器からの光パワーの値が最大になるようにする。Ｎ個の光送信器を順次１つずつ制御すると、すべての送出波長が波長合波器の周期的なスペクトル特性のピークと一致することになる。これにより、光送信器のすべての送出波長を安定化することができる。【選択図】図５
2008172717.tif 000002
【特許請求の範囲】
【請求項１】
複数の送出波長のそれぞれが可変可能な光送信手段と、
前記複数の送出波長に対して、基準となるスペクトル特性を与える光フィルタ手段と、
前記光フィルタ手段を介して、前記複数の送出波長の光を受光する受光手段と、
前記光送信手段の複数の送出波長について、前記受光器で得られる光パワーを基準に、各送出波長を逐次的に制御する波長制御手段と
を備えたことを特徴とする波長制御回路。
【請求項２】
請求項１に記載の波長制御回路であって、
前記光フィルタ手段は、基準となるスペクトル特性として、各送出波長に対して光パワーの最大ピークを与え、
前記波長制御手段は、前記光送信手段の複数の送出波長について、前記受光器で得られる光パワーの最大値を基準として、各送出波長を逐次的に制御することを特徴とする波長制御回路。
【請求項３】
請求項１に記載の波長制御回路であって、
前記光フィルタ手段は、基準となるスペクトル特性として、各送出波長に対して光パワーの最小ピークを与え、
前記波長制御手段は、前記光送信手段の複数の送出波長について、前記受光器で得られる光パワーの最小値を基準として、各送出波長を逐次的に制御することを特徴とする波長制御回路。
【請求項４】
複数の送出波長のそれぞれが可変可能な光送信手段と、
前記複数の送出波長に対して、基準となるスペクトル特性を与える光フィルタ手段であって、第１の出力ポートと第２の出力ポートが逆のスペクトル特性を有する光フィルタ手段と、
前記第１の出力ポートを介して、前記複数の送出波長の光を受光する第１の受光手段と、
前記第２の出力ポートを介して、前記複数の送信波長の光を受光する第２の受光手段と、
前記光送信手段の複数の送出波長について、前記第１および第２の受光器で得られる光パワーを基準に、各送出波長を逐次的に制御する波長制御手段と
を備えたことを特徴とする波長制御回路。
【請求項５】
請求項４に記載の波長制御回路であって、
前記波長制御手段は、前記光送信手段の複数の送出波長について、前記第１の受光器で得られる光パワーと前記第２の受光器で得られる光パワーとの差を基準に、各送出波長を逐次的に制御することを特徴とする波長制御回路。
【請求項６】
請求項４に記載の波長制御回路であって、
前記光フィルタ手段は、基準となるスペクトル特性として、第１の出力ポートには各送出波長に対して光パワーの最大ピークを与え、第２の出力ポートには各波長に対して光パワーの最小ピークを与え、
前記波長制御手段は、前記光送信手段の複数の送出波長の一部について、前記第１の受光器で得られる光パワーの最大値を基準に、各送出波長を逐次的に制御し、前記光送信手段の複数の送出波長の一部について、前記第２の受光器で得られる光パワーの最小値を基準に、各送出波長を逐次的に制御することを特徴とする波長制御回路。
【請求項７】
請求項６に記載の波長制御回路であって、
前記波長制御手段はさらに、前記光送信手段の複数の送出波長の一部について、前記第１の受光器で得られる光パワーと前記第２の受光器で得られる光パワーとの差を基準に、各送出波長を逐次的に制御することを特徴とする波長制御回路。
【請求項８】
請求項１から７のいずれかに記載の波長制御回路であって、
前記光フィルタ手段は、各送出波長に対して、波形整形のためのスペクトル特性をさらに与えることを特徴とする波長制御回路。
【請求項９】
請求項１から８のいずれかに記載の波長制御回路であって、
前記光フィルタ手段は、周期的なスペクトル特性を有する光フィルタ、波長合波器、またはこれらの組合せであることを特徴とする波長制御回路。
【請求項１０】
請求項１から８のいずれかに記載の波長制御回路であって、
前記光フィルタ手段は、エタロンフィルタ、マッハツェンダフィルタ、またはこれらの組合せであることを特徴とする波長制御回路。
【請求項１１】
請求項１から１０のいずれかに記載の波長制御回路を備えたことを特徴とする波長多重光送信装置。
【発明の詳細な説明】
【技術分野】
【０００１】
本発明は、波長多重光通信システムにおける波長制御回路および波長多重光送信装置に関するものである。
【背景技術】
【０００２】
波長多重光通信システムにおいては、単一の光ファイバケーブルにより波長が異なる複数の光信号が伝送される。これらの波長が異なる複数の光信号は、誘電体多層膜フィルタやアレイ導波路回折格子などの合波器および分波器を用いて合分波される。多くの場合、波長合波器の透過中心波長はＩＴＵ−Ｔで定められた波長に等間隔に設定される。
【０００３】
この波長多重光通信システムにおいては、ある信号波長が定められた波長からドリフトすると、その信号波長自体の光パワーの減衰のみならず、隣接する波長へのクロストークとなるため、定められた波長へ信号波長を安定化することが、特に高密度波長多重光伝送システムにおいて重要となる。
【０００４】
図１に、従来の波長多重光通信システムにおける波長多重光送信装置の一例を示す（非特許文献１参照）。この波長多重光送信装置１０は、Ｎ個の光送信器１２−１〜Ｎからの波長の異なる光信号を波長合波器１４で合波し、単一の光ファイバケーブル（図示せず）を通じて伝送する。光送信器１２−１〜Ｎはそれぞれ、光フィルタ１６−１〜Ｎおよび受光器１８−１〜Ｎを通して波長の安定化を行う。すなわち、光送信器からの光信号を、所定の波長透過特性を有する光フィルタを介して、受光器で光パワーを監視し、その結果に基づいて光送信器の波長を制御することにより、波長の安定化を行うことができる。このように、光フィルタのスペクトル特性を波長基準として使用し、波長の安定化を実現している。
【０００５】
光フィルタには、安価なエタロンフィルタなどが用いられる。エタロンフィルタは、平行平板の両端に反射コートを形成したものであり、反射コート間の多重反射により図２のような周期的な入出力特性が得られる。エタロンフィルタのＦＳＲの自然数倍を波長合波器１４の透過中心波長間隔と等しくなるように設定することで、波長多重光送信装置１０における波長基準として用いることができる。すなわち、光送信器からの送出波長が目標とする波長基準から変化したときに、光フィルタの特性により光フィルタの出力光パワーが変化するため、この変化分を観測することで光送信器の送出波長を目標とする波長基準に制御することができる。
【０００６】
図３に、従来の波長多重光通信システムにおける別の波長多重光送信装置の一例を示す（特許文献１参照）。この波長多重光送信装置２０は、Ｎ個の光送信器１２−１〜Ｎからの波長の異なる光信号を波長合波器２４で合波し、単一の光ファイバケーブルを通じて伝送する。この合波された光信号は、光カプラ２６で分岐され、マッハツェンダフィルタ２８を介して、波長分波器３４で分波され、受光器３２−１〜Ｎで光パワーが監視される。
【０００７】
図４に、マッハツェンダフィルタの透過スペクトル特性を示す。マッハツェンダフィルタ２８は、エタロンフィルタと同様にＦＳＲの自然数倍を波長分波器３４の透過中心波長間隔と等しくなるように設定することで、波長多重光送信装置２０における波長基準として用いることができる。このマッハツェンダフィルタの透過中心波長を、発振器３０で摂動し、受光器３２−１〜Ｎからの出力信号を乗算器３６−１〜Ｎで同期検波し、低域通過フィルタ（ＬＰＦ）３８−１〜Ｎの出力が０になるように、光送信器の送出波長を制御することで、光送信器の送出波長を安定化することができる。
【０００８】
【特許文献１】特開平９−２６１１８１号公報
【非特許文献１】”A Highly Stable and Reliable Wavelength Monitor Integrated Laser Module Design,” J. Lightwave Technol., Vol.22, pp1344-1351, May 2004
【発明の開示】
【発明が解決しようとする課題】
【０００９】
しかしながら、図１の波長多重光送信装置では、光送信器それぞれについて別個に波長安定化を行うため、光送信器ごとに光フィルタおよび受光器が必要となり、光送信器の数に比例してコストが高くなるという問題があった。
【００１０】
また、図３の波長多重光送信装置では、図１の構成と比較して、Ｎ個の光フィルタの機能を１つのマッハツェンダフィルタおよび波長分波器で実現できるが、このマッハツェンダフィルタおよび波長分波器は比較的高価なものであり、受光器だけでなく、乗算器やＬＰＦが必要となる。さらに、この構成では、運用中の波長数に関わらず、システムで用いられる最大波長数に対応する波長分波器をあらかじめ用意しておかなければならないため、初期導入コストが高いという問題があった。
【００１１】
本発明は、このような問題に鑑みてなされたもので、経済的な形で複数の波長を安定化することができる波長制御回路および波長多重光送信装置を提供することにある。
【課題を解決するための手段】
【００１２】
本発明は、このような目的を達成するために、請求項１に記載の発明は、波長制御回路であって、複数の送出波長のそれぞれが可変可能な光送信手段と、前記複数の送出波長に対して、基準となるスペクトル特性を与える光フィルタ手段と、前記光フィルタ手段を介して、前記複数の送出波長の光を受光する受光手段と、前記光送信手段の複数の送出波長について、前記受光器で得られる光パワーを基準に、各送出波長を逐次的に制御する波長制御手段とを備えたことを特徴とする。
【００１３】
また、請求項２に記載の発明は、請求項１に記載の波長制御回路であって、前記光フィルタ手段は、基準となるスペクトル特性として、各送出波長に対して光パワーの最大ピークを与え、前記波長制御手段は、前記光送信手段の複数の送出波長について、前記受光器で得られる光パワーの最大値を基準として、各送出波長を逐次的に制御することを特徴とする。
【００１４】
また、請求項３に記載の発明は、請求項１に記載の波長制御回路であって、前記光フィルタ手段は、基準となるスペクトル特性として、各送出波長に対して光パワーの最小ピークを与え、前記波長制御手段は、前記光送信手段の複数の送出波長について、前記受光器で得られる光パワーの最小値を基準として、各送出波長を逐次的に制御することを特徴とする。
【００１５】
また、請求項４に記載の発明は、波長制御回路であって、複数の送出波長のそれぞれが可変可能な光送信手段と、前記複数の送出波長に対して、基準となるスペクトル特性を与える光フィルタ手段であって、第１の出力ポートと第２の出力ポートが逆のスペクトル特性を有する光フィルタ手段と、前記第１の出力ポートを介して、前記複数の送出波長の光を受光する第１の受光手段と、前記第２の出力ポートを介して、前記複数の送信波長の光を受光する第２の受光手段と、前記光送信手段の複数の送出波長について、前記第１および第２の受光器で得られる光パワーを基準に、各送出波長を逐次的に制御する波長制御手段とを備えたことを特徴とする。
【００１６】
また、請求項５に記載の発明は、請求項４に記載の波長制御回路であって、前記波長制御手段は、前記光送信手段の複数の送出波長について、前記第１の受光器で得られる光パワーと前記第２の受光器で得られる光パワーとの差を基準に、各送出波長を逐次的に制御することを特徴とする。
【００１７】
また、請求項６に記載の発明は、請求項４に記載の波長制御回路であって、前記光フィルタ手段は、基準となるスペクトル特性として、第１の出力ポートには各送出波長に対して光パワーの最大ピークを与え、第２の出力ポートには各波長に対して光パワーの最小ピークを与え、前記波長制御手段は、前記光送信手段の複数の送出波長の一部について、前記第１の受光器で得られる光パワーの最大値を基準に、各送出波長を逐次的に制御し、前記光送信手段の複数の送出波長の一部について、前記第２の受光器で得られる光パワーの最小値を基準に、各送出波長を逐次的に制御することを特徴とする。
【００１８】
また、請求項７に記載の発明は、請求項６に記載の波長制御回路であって、前記波長制御手段はさらに、前記光送信手段の複数の送出波長の一部について、前記第１の受光器で得られる光パワーと前記第２の受光器で得られる光パワーとの差を基準に、各送出波長を逐次的に制御することを特徴とする。
【００１９】
また、請求項８に記載の発明は、請求項１から７のいずれかに記載の波長制御回路であって、前記光フィルタ手段は、各送出波長に対して、波形整形のためのスペクトル特性をさらに与えることを特徴とする。
【００２０】
また、請求項９に記載の発明は、請求項１から８のいずれかに記載の波長制御回路であって、前記光フィルタ手段は、周期的なスペクトル特性を有する光フィルタ、波長合波器、またはこれらの組合せであることを特徴とする。
【００２１】
また、請求項１０に記載の発明は、請求項１から８のいずれかに記載の波長制御回路であって、前記光フィルタ手段は、エタロンフィルタ、マッハツェンダフィルタ、またはこれらの組合せであることを特徴とする。
【００２２】
また、請求項１１に記載の発明は、波長多重光送信装置であって、請求項１から１０のいずれかに記載の波長制御回路を備えたことを特徴とする。
【発明を実施するための最良の形態】
【００２３】
以下、図面を参照しながら本発明の実施形態について詳細に説明する。
【００２４】
（第１の実施形態）
図５に、本発明の第１の実施形態による波長多重光送信装置の一例を示す。この波長多重光送信装置１００は、送出波長の異なるＮ個の光送信器１０２−１〜Ｎと、光送信器からの光信号を合波する波長合波器１０４と、合波した光信号を分岐する光カプラ１０６と、光カプラからの光信号を受光する受光器１０８と、受光器からの信号に基づいて各光送信器の波長を制御する波長制御手段１１０とを備えている。この波長制御手段１１０は、Ｎ個の光送信器１０２−１〜Ｎの送出波長をそれぞれ個別に制御することができる。
【００２５】
波長合波器１０４としてガウス型の透過特性を持つアレイ導波路回折格子を用いた場合を例として説明する。図６に示すように、波長合波器１０４は、その透過中心波長において最大の透過率となる。そのため、光送信器１０２−１〜Ｎのすべての送出波長がそれぞれ波長合波器１０４の透過中心波長に一致したときに、受光器１０８で得られる光パワーが最大となり、光送信器の送出波長が波長合波器の透過中心波長に安定化されたことになる。
【００２６】
ここで、どのように光送信器の送出波長を決定すれば、光送信器のすべての送出波長がそれぞれ波長合波器の透過中心波長に一致するかが問題となる。図５の構成においては、波長多重光のパワーを単一の受光器１０８で受光しているため、複数の光送信器の送出波長を同時に変化させると、受光器で得られる光パワーの変化が、どの光送信器の送出波長の変化に対応しているのかを判定することができない。そこで、ある一つの光送信器の送出波長のみを変化させて、受光器で得られる光パワーが最大になるように波長制御を行う。この動作を各光送信器について順次一つずつ行うことで、すべての光送信器の送出波長を安定化させることができる。
【００２７】
このことを図７を用いて説明する。ｉ番目の光送信器ｉ（ｉ＝１，２，．．．，Ｎ）について、送信波長を連続的に変化させ、受光器１０８で得られる光パワーが最大となる波長を決定し保持する。ここで、送信波長を変化させる範囲は、光送信器ｉの送信波長が対応する透過中心波長にロックするように波長合波器の透過特性に基づいて決定することができる。例えば、光送信器ｉに対応する透過中心波長を中心とする両隣の谷から谷までの範囲とすることができる。次に、ｉ＋１番目の光送信器ｉ＋１についても同様に、受光器１０８で得られる光パワーが最大となる波長を決定し保持する。このように、受光器１０８で受光する光パワーの最大値を探索する制御をＮ個の光送信器について逐次的に行うことで、全光送信器の送出波長をそれぞれ波長合波器１０４の対応する透過中心波長に安定化することができる。また、この安定化は、随時行ってもよい。この逐次最大値探索制御を行うことにより、光送信器を新たに追加するたびにその光送信器の送出波長について安定化を行えばよく、波長制御に必要な構成部品を全光送信器で共有でき、初期コストを抑えた波長多重光送信装置を構成することができる。
【００２８】
なお、ここでは、最大値探索法として、波長を連続的に変化させ、最大値を探索する方法を説明したが、山登り法や、数点の離散的な測定点からフィッティングにより最大値となる波長を決定する方法など、任意の最大値探索方法を採用することができる。これは、他の実施形態においても同様である。
【００２９】
（第２の実施形態）
図８に、本発明の第２の実施形態による波長多重光送信装置の一例を示す。この波長多重光送信装置２００では、第１の実施形態に係る波長多重光送信装置１００の受光器１０８の前段に光フィルタ２０２が挿入されている。この光フィルタ２０２は、そのＦＳＲの自然数倍が波長合波器１０４の透過中心波長間隔に等しく、波長合波器の透過中心波長において最大の出力パワーが得られる特性を有している。このような光フィルタとしては、図２に示すような透過特性を有するエタロンフィルタや、図４に示すような透過特性を有するマッハツェンダフィルタなどが挙げられる。
【００３０】
波長合分波器１０４として、図９に示すようなフラットな透過特性のものを用いた場合、透過率が最大となる波長を一意に決定することができない。このとき、上記のような特性を有する光フィルタ２０２を用い、光送信器の波長基準とすることで、波長制御手段２１０により、第１の実施形態の場合と同様に光送信器の送出波長の安定化を行うことができる。
【００３１】
また、ガウス型のスペクトル特性を有する波長合波器１０４を用いた場合には、光フィルタ２０２の通過帯域を波長合波器の透過帯域よりも狭くなるように設定することで、通信に使用している波長に大きな影響を及ぼすことなく、最大値探索制御を行うことができる。このようなことは、例えばエタロンフィルタについては、その反射コートの反射率を高く設定することによって容易に実現することができる。
【００３２】
（第３の実施形態）
図１０に、本発明の第３の実施形態による波長多重光送信装置の一例を示す。この波長多重光送信装置３００では、第２の実施形態に係る波長多重光送信装置２００において受光器１０８の前段に配置されていた光フィルタが波長合波器１０４の後段に配置されている。この場合、光フィルタ３０２は、波長安定化に使用されると同時に、通信に使用している信号光の波長スペクトルの整形にも使用される。
【００３３】
このことを図１１を用いて説明する。光送信器１０２−１〜Ｎとして直接変調のレーザダイオード（ＬＤ）を用いた場合、そのチャープ特性により送出光スペクトルは、マークおよびスペースレベルにそれぞれ対応する２つのスペクトルピークを持ち、それらのパワー差が消光比に対応する。ここで、ある光送信器の送出波長の光パワーに対して、マークレベルに対応する光パワーが支配的であるため、波長制御手段３１０において逐次最大値探索制御による波長安定化制御を行うと、マークレベルに対応するスペクトルピーク波長が所定の波長に安定化されることになる。この場合、スペースレベルに対応するスペクトルピークは、光フィルタ３０８の透過特性を通じてフィルタリングされ損失を受けるので、その結果、消光比が増大することになる。本実施形態においては、単一の光フィルタ３０８を用いて、Ｎ個の光送信器の送出波長の安定化および波形整形を同時に実現することができる。
【００３４】
（第４の実施形態）
図１２に、本発明の第４の実施形態による波長多重光送信装置の一例を示す。この波長多重光送信装置４００は、第２の実施形態に係る波長多重光送信装置２００と同じ構成であるが、ここでは、光フィルタ２０２とは特性が異なる光フィルタ４０２が使用されている。この光フィルタ４０２は、図１３に示すように、そのＦＳＲの自然数倍が波長合波器１０４の透過中心波長間隔に等しく、波長合波器の透過中心波長において最小の出力パワーが得られる入出力特性を有する。
【００３５】
このような特性の光フィルタ４０２は、図１４に示すように、エタロンフィルタの反射出力を観測することで得ることができる。反射出力を観測するためには、図１４（ａ）に示すように、エタロンフィルタに対して光を斜めに入射し、その反射光を観測する。あるいは、図１４（ｂ）に示すように、エタロンフィルタに対して垂直に光を入射し、サーキュレータ５０を用いて反射出力を取り出すなどの方法がある。
【００３６】
また、このような特性の光フィルタ４０２は、図１５に示すように、マッハツェンダフィルタの透過率が最小となる点を波長合波器１０４の透過中心波長に設定することによっても得られる。
【００３７】
このような入出力特性を有する光フィルタ４０２を用いて、図１６に示すように、各光送信器１０２−１〜Ｎについて、受光器１０８で得られる光パワーが最小になるように、波長制御手段４１０において順次一つずつ最小値探索制御を行うことで、すべての光送信器の送出波長を目標とする波長合波器１０４の透過中心波長に安定化させることができる。
【００３８】
逐次最大値探索制御を行う構成においては、各光送信器について光パワーの最大値を探索することで全送出波長の安定化を行う。しかし、波長が安定化されていない複数個の光送信器の波長安定化を行う際には、先に波長が安定化される光送信器ほど、全受光パワーに対するその光送信器の送出波長変化に伴う受光パワー変化の比が大きく、後に波長が安定化される光送信器ほどその比が小さい。このことは、後に最大値探索制御を行う光送信器ほど安定化する波長以外の偶発的な光パワーの変化による雑音の影響が大きくなり、波長安定化の精度が低下することを意味する。
【００３９】
本実施形態においては、第２の実施形態とは逆に、先に波長が安定化される光送信器ほど、全受光パワーに対するその光送信器の送出波長変化に伴う受光パワー変化の比が小さく、後に波長が安定化される光送信器ほどその比が大きい。光送信器を徐々に追加していく場合、追加前から動作している光送信器は既に波長が安定化されているため、本実施形態の逐次最小値探索制御を用いることにより、逐次最大値探索制御を行う構成よりも適用可能な光送信器の最大数を増大することができる。
【００４０】
（第５の実施形態）
図１７に、本発明の第５の実施形態による波長多重光送信装置の一例を示す。この波長多重光送信装置５００では、第１の実施形態に係る波長多重光送信装置１００の光カプラ１０６に代えて、光フィルタ５０２が使用されている。この光フィルタ５０２は、そのＦＳＲの自然数倍が波長合波器１０４の透過中心波長間隔に等しく、その出力ポート１は、通信用に使用され、出力ポート２は波長安定化用に使用される。出力ポート１については、図２に示すように、波長合波器１０４の透過中心波長において最大の光パワーが得られ、出力ポート２については、図１３に示すように、波長合波器１０４の透過中心波長において最小の光パワーが得られる入出力特性とする。
【００４１】
このような特性を有する光フィルタ５０２は、図１８（ａ）および（ｂ）に示すように、エタロンフィルタの透過出力をポート１とし、反射出力をポート２として用いることで得られる。また、図１８（ｃ）に示すように、マッハツェンダフィルタの透過中心波長を波長合波器１０４の透過中心波長において最大となるように設定したポートをポート１とし、もう一方のポートをポート２としてもよい。このような構成により、第３の実施形態で説明した波形整形と、第４の実施形態で説明した逐次最小値探索制御による波長安定化を同時に行うことができる。
【００４２】
（第６の実施形態）
図１９に、本発明の第６の実施形態による波長多重光送信装置の一例を示す。この波長多重光送信装置６００では、第５の実施形態に係る波長多重光送信装置５００の光フィルタを光カプラ１０６の後段に配置している。この場合、波長制御手段６１０において、受光器６０４に対して逐次最大値探索制御を行い、受光器６０６に対して逐次最小値探索制御を行うことで、Ｎ個の光送信器１０２−１〜Ｎの送出波長を安定化することができる。
【００４３】
第４の実施形態において説明したように、逐次最大値探索制御では先に制御される光送信器ほど波長安定化精度が高く、逆に逐次最小値探索制御では後に制御される光送信器ほど波長安定化精度が高い。したがって、本実施形態においては、先に制御される光送信器では逐次最大値探索制御を行い、後に制御される光送信器では逐次最小値探索制御を行うことにより、一方の制御のみを行う構成よりも適用可能な光送信器の最大数を増大することができる。
【００４４】
（第７の実施形態）
図２０に、本発明の第７の実施形態による波長多重光送信装置の一例を示す。この波長多重光送信装置７００は、第６の実施形態の波長多重光送信装置と同じ構成である。本実施形態では、波長制御手段７１０において、受光器７０４で得られる光パワーの値から受光器７０６で得られる光パワーの値を減じ、その値に対して逐次最大値探索制御を行う。減算は、光受光器の出力を電気的に減算してもよいし、受光器７０４および受光器７０６の受光した光パワーを一旦数値化した後に減算してもよい。
【００４５】
図２１を参照して、本実施形態について説明する。図に示すように、受光器７０４で得られる光パワーの値から受光器７０６で得られる光パワーの値を減算することで、光パワーの変化量が一方の受光器のみを用いる場合の２倍となる。そのため、一方の受光器のみを用いる構成よりも適用可能な光送信器の最大数を増大することができる。
【００４６】
（第８の実施形態）
図２２に、本発明の第８の実施形態による波長多重光送信装置の一例を示す。この波長多重光送信装置８００は、第３の実施形態の波長多重光送信装置３００を、第５の実施形態の波長多重光送信装置５００と組み合わせた構成としている。このような構成により、第３の実施形態で説明した波形整形と、第６の実施形態で説明した波長安定化を同時に行うことができる。具体的には、受光器８０４に対して逐次最大値探索制御を行い、受光器８０６に対しては、逐次最小値探索制御を行うことができる。
【００４７】
（第９の実施形態）
図２３に、本発明の第９の実施形態による波長多重光送信装置の一例を示す。この波長多重光送信装置９００は、第８の実施形態の波長多重光送信装置８００と同じ構成である。本実施形態では、第３の実施形態で説明した波長整形と、第７の実施形態で説明した波長安定化を同時に行うことができる。具体的には、受光器９０４で得られた光パワーの値から受光器９０６で得られた光パワーの値を減じた値に対して逐次最大値探索制御を行うことができる。
【００４８】
（その他の実施形態）
第６から第９の実施形態においては、第５の実施形態において説明した光フィルタ５０２の出力ポート１および出力ポート２の光パワーの両方を監視している。この場合、受光器１で得られる光パワーの値に光合波器の出力端から受光器１までの損失分を加算した値と、受光器２で得られる光パワーの値に光合波器の出力端から受光器２までの損失分を加算した値との和算を行い、光カプラ１０６の分岐比を考慮して波長多重光の全光パワーを推定することができる。このように、新たに受光器を追加することなく、通信に使用している波長多重光の全光パワーを得ることができ、波長多重光通信システムの管理運用に役立てることができる。
【００４９】
以上、本発明について、具体的にいくつかの実施形態について説明したが、本発明の原理を適用できる多くの実施可能な形態に鑑みて、ここに記載した実施形態は、単に例示に過ぎず、本発明の範囲を限定するものではない。例えば、基準となるスペクトル特性を与える光フィルタ手段として、アレイ導波路回折格子、エタロンフィルタ、マッハツェンダフィルタを例に説明したが、リング型共振器フィルタ、ファブリペロー干渉系ファイバブラッググレーティングフィルタを使用してもよい。したがって、ここに例示した実施形態は、本発明の趣旨から逸脱することなくその構成と詳細を変更することができる。さらに、説明のための構成要素および手順は、本発明の趣旨から逸脱することなく変更、補足、またはその順序を変えてもよい。
【図面の簡単な説明】
【００５０】
【図１】従来の波長多重光通信システムにおける波長多重光送信装置の一例を示す図である。
【図２】図１の光フィルタのスペクトル特性の一例を示す図である。
【図３】従来の波長多重光通信システムにおける別の波長多重光送信装置の一例を示す図である。
【図４】図３のマッハツェンダフィルタのスペクトル特性の一例を示す図である。
【図５】本発明の第１の実施形態による波長多重光送信装置の一例を示す図である。
【図６】図５の波長合波器のスペクトル特性の一例を示す図である。
【図７】本発明の波長制御手段における逐次最大値探索制御について説明するための図である。
【図８】本発明の第２の実施形態による波長多重光送信装置の一例を示す図である。
【図９】図８の波長合波器のスペクトル特性の一例を示す図である。
【図１０】本発明の第３の実施形態による波長多重光送信装置の一例を示す図である。
【図１１】本発明による光送信器の送出波長の安定化および波形整形について説明するための図である。
【図１２】本発明の第４の実施形態による波長多重光送信装置の一例を示す図である。
【図１３】図１２の光フィルタのスペクトル特性の一例を示す図である。
【図１４】図１２の光フィルタの構成例を示す図であり、図１４（ａ）はエタロンフィルタに対して光を斜めに入射する構成であり、図１４（ｂ）はエタロンフィルタに対して垂直に光を入射し、サーキュレータ５０を用いて反射出力を取り出す構成である。
【図１５】図１２の光フィルタにマッハツェンダフィルタを用いた場合のスペクトル特性の一例を示す図である。
【図１６】本発明の波長制御手段における逐次最小値探索制御について説明するための図である。
【図１７】本発明の第５の実施形態による波長多重光送信装置の一例を示す図である。
【図１８】図１７の光フィルタの構成例を示す図であり、図１８（ａ）はエタロンフィルタを用いた構成であり、図１８（ｂ）はエタロンフィルタとサーキュレータを用いた構成であり、図１８（ｃ）はマッハツェンダフィルタを用いた構成である。
【図１９】本発明の第６の実施形態による波長多重光送信装置の一例を示す図である。
【図２０】本発明の第７の実施形態による波長多重光送信装置の一例を示す図である。
【図２１】本発明の波長制御手段における、２つの受光器の光パワーの差に対する逐次最大値探索制御について説明するための図である。
【図２２】本発明の第８の実施形態による波長多重光送信装置の一例を示す図である。
【図２３】本発明の第９の実施形態による波長多重光送信装置の一例を示す図である。
【符号の説明】
【００５１】
１０，２０  波長多重光送信装置
３０  発振器
３４  波長分波器
３６−１〜Ｎ  乗算器
５０  サーキュレータ
１００  第１の実施形態による波長多重光送信装置
２００  第２の実施形態による波長多重光送信装置
３００  第３の実施形態による波長多重光送信装置
４００  第４の実施形態による波長多重光送信装置
５００  第５の実施形態による波長多重光送信装置
６００  第６の実施形態による波長多重光送信装置
７００  第７の実施形態による波長多重光送信装置
８００  第８の実施形態による波長多重光送信装置
９００  第９の実施形態による波長多重光送信装置
【図１】
2008172717.tif 000003
【図２】
2008172717.tif 000004
【図３】
2008172717.tif 000005
【図４】
2008172717.tif 000006
【図５】
2008172717.tif 000007
【図６】
2008172717.tif 000008
【図７】
2008172717.tif 000009
【図８】
2008172717.tif 000010
【図９】
2008172717.tif 000011
【図１０】
2008172717.tif 000012
【図１１】
2008172717.tif 000013
【図１２】
2008172717.tif 000014
【図１３】
2008172717.tif 000015
【図１４】
2008172717.tif 000016
【図１５】
2008172717.tif 000017
【図１６】
2008172717.tif 000018
【図１７】
2008172717.tif 000019
【図１８】
2008172717.tif 000020
【図１９】
2008172717.tif 000021
【図２０】
2008172717.tif 000022
【図２１】
2008172717.tif 000023
【図２２】
2008172717.tif 000024
【図２３】
2008172717.tif 000025